(57)【要約】      （修正有）【課題】適切なメークアップ化粧料を客観的且つ容易に選択する方法を提供する。【解決手段】メラニンの存在状態と皮膚の色ムラを指標に、ファンデーションなどのメークアップ化粧料を選択する。角質細胞におけるメラニンの存在状態の優劣を数値化した評点（Ａ）と、顔の色ムラ状態の優劣を数値化した評点（Ｂ）と、評点（Ａ）と評点（Ｂ）、及び顔全体の印象をもとに評価される肌の美しさを予め重回帰分析して得られた回帰式を用いて、メラニンの存在状態を色ムラとの加重比の関係を求め、評点（Ａ）と評点（Ｂ）に加重比を乗じることにより、評点（Ｃ）を得、評点（Ｃ）の結果と予め５段階に分類されたメークアップ化粧料のカバー力の程度に従って、メークアップ化粧料を選択する。【選択図】  なし【特許請求の範囲】
【請求項１】
（１）下記の工程により評点（Ａ）を得；
（ｉ）メラニンの存在量が多くメラニンの不均一性が大きいほどメラニンの存在状態を「劣」とし、メラニンの存在量が少なくメラニンの不均一性が小さいほどメラニンの存在状態を「優」として、メラニンの存在状態を優劣に応じて５段階に分け、各段階に優劣に応じた評点を付与した指標を予め用意し、
（ii）採取した角質細胞を顕微鏡観察し、上記（ｉ）の指標を用いることにより、採取した角質細胞におけるメラニンの存在状態の優劣を上記（ｉ）の５段階で評価し、該当する段階に付与されている評点を、該採取した角質細胞におけるメラニンの存在状態の優劣を数値化した評点（Ａ）として得、
（２）下記の工程により評点（Ｂ）を得；
（ｉ）モーフィングにより作成した色ムラの標準顔を用いて、色ムラ状態の優劣に応じて５段階に分け、各段階に優劣に応じた評点を付した指標を予め用意し、
（ii）顔の色ムラ状態を上記色ムラ標準顔と比較観察し、上記（ｉ）の指標を用いることにより、顔の色ムラ状態の優劣を上記（ｉ）の５段階で評価し、該当する段階に付与されている評点を、該顔の色ムラ状態の優劣を数値化した評点（Ｂ）として得、
（３）下記工程により評点（Ａ）と（Ｂ）から評点（Ｃ）を得；
（ｉ）上記（１）若しくは上記（２）と同様にして得られる評点（Ａ）と評点（Ｂ）、及び顔全体の印象をもとに評価される肌の美しさを予め重回帰分析して得られた回帰式を用いて、メラニン存在状態と色ムラとの加重比の関係を求め、
（ii）上記（１）と上記（２）で得られた評点（Ａ）及び評点（Ｂ）に上記（ｉ）で得られた加重比を乗じることにより、評点（Ｃ）（色調順調度）を得、
（４）メークアップ化粧料をカバー力の程度に従って５段階に予め分類し、
上記（３）で得られた評点（Ｃ）の結果を優劣に応じ５段階に分類し、評点（Ｃ）（色調順調度）の結果がもっとも悪い段階（色ムラやメラニンの存在状態がもっとも悪い段階）の場合には段階５（カバー力にもっとも優れる段階）のメークアップ化粧料を、評点（Ｃ）の結果が次に悪い段階の場合には段階４（次にカバー力に優れる段階）のメークアップ化粧料を、評点（Ｃ）の結果が中程の段階の場合には段階３（カバー力も中程の段階）のメークアップ化粧料を、評点（Ｃ）の結果が良好な段階の場合には段階２（さほどカバー力を有さない段階）のメークアップ化粧料を、評点（Ｃ）の結果がもっとも良い段階（色ムラやメラニンの存在状態がもっとも良い段階）の場合には段階１（カバー力をもっとも有さない段階）のメークアップ化粧料を選択することを特徴とする、メークアップ化粧料の選択法。
【請求項２】
前記評点（Ｃ）（色調順調度）は、前記評点（Ａ）に０．２〜０．４を乗じた値と、前記評点（Ｂ）に０．８〜０．６を乗じた値とを合わせた値であることを特徴とする、請求項１に記載のメークアップ化粧料の選択法。
【発明の詳細な説明】
【技術分野】
【０００１】
本発明は、ファンデーションなどのメークアップ化粧料の選択法に関する。
【背景技術】
【０００２】
美しく装いたい気持ちは、女性ならずとも誰しもが願うことである。女性に於いては、この願望が非常に重要であり、その為種々のメークアップ化粧料が開発されている。これは町中の化粧品店を見れば一目瞭然であり、棚には数々の化粧料が陳列されている。この為、どの様なメークアップ化粧料を選択すべきか迷うことが少なくないのが現状である。この様なメークアップ化粧料の重要な機能の一つが、シミやソバカスなどの肌トラブルを目立たなくさせることであるが、この様な手段としては、例えば、色味ののりで周囲の色との差を少なくさせ、あまり目立たないようにする方法や二酸化チタンや酸化亜鉛などの隠蔽力のある粉体でカバーし隠蔽する方法等がある。この為、どの様なメークアップ化粧料をどの様に使用すべきかという問題については、更に困難が生じる。この為、この様なメークアップ化粧料の選択法としては、その使用者の肌の色を指標とし、これを指標に選択する方法は行われていたが、他方のカバー力の問題に関しては、なにも行われていないのが現状であった。即ち、トラブルの目立たない美しい化粧仕上がりとカバー力の関係はあまり明らかになっていないのが現状であった。更に、このトラブルの程度は目視により、主観的に判断されることが多いが、客観的にこれを鑑別する方法もまだ知られていないのが現状であった。
【０００３】
一方、適切なカバー力のメークアップ化粧料を選択するための、使用者の特性として、適用部位に於ける色ムラとメラニンの存在状態が因子となっていることは、全く知られていなかった。
【発明の開示】
【発明が解決しようとする課題】
【０００４】
本発明はこの様な状況下為されたものであり、適切なメークアップ化粧料を客観的且つ容易に選択する方法を提供することを課題とする。
【課題を解決するための手段】
【０００５】
本発明者らは、この様な状況に鑑みて、適切なメークアップ化粧料を客観的且つ容易に選択する方法を求め、鋭意研究努力を重ねた結果、メラニンの存在状態と皮膚の色ムラがメークアップ化粧料の適切なカバー力と極めて関係が深いことを見出し、これを指標にすることにより、この様な選択が為しうることを見出し、発明を完成させるに至った。以下、本発明について、実施の形態を中心に詳細に説明を加える。
【０００６】
（１）メラニンの角層に於ける存在状態
メラニンは表皮組織に存在する色素であるが、その存在形態は様々に異なっている。この種々の存在形態を有するメラニンの比較には、例えば、次のような基準をもって行うと、かなり生態学的に適合した分類が出来るので好ましい。即ち、メラニンの存在状態を分類するに際して、角質細胞に於けるその存在量と、存在のバラツキを指標とした不均一性の２軸を用いることである。この様なメラニンの存在状態の鑑別は手技的には既に多くの方法が知られており、それらを用いればよい。しかしながら、最も好ましい方法は、本発明者らが考案した、粘着ディスクに角質細胞を採取し、これを透明粘着テープ上に転写し、これを硝酸銀とゲンチアナバイオレットで染色する方法である。即ち、採集された標本は、０．５％の硝酸銀水溶液にアンモニア水を滴下しｐＨを１０に調整した銀染色液を用い、４５℃１０分間処理し銀染色した後、３回水洗し０．１５％ゲンチアナバイオレット
液で１０分処理した。この標本を水洗、乾燥させ、透明シリコーン剤を染色済みの部分を覆うように流し込みカバーグラスをのせてサンプルとし、顕微鏡観察する方法である。この様に測定された、メラニンの存在量とその存在の不均一性は、メラニンの存在状態の観察印象にともに大きな影響を有しており、その関係は独立している。即ち、メラニンの存在量が多く不均一性も大きいほど肌は、美しい肌から離れ、メークアップによる装いがそれだけ必要になり、逆に、メラニンの存在量も少なく、不均一性が少ないほど美しい肌になり、メークアップ化粧料による補正などがそれほど必要でなくなる。つまり、メラニンの状態について、角層に於けるメラニンの存在量と不均一性を箱形モデルを用いて一軸化することにより、指標とすることが出来る。これを用いるのが判定が行いやすい為非常に好適であるが、他の方法によってメラニンの存在状態を一軸化し、指標とすることも本発明の技術範囲に属する。前記箱形モデル軸の一例を図１に示す。この例よりわかるように、この軸でメラニンの存在状態は明白に鑑別できる。
【０００７】
（２）色ムラ
本発明のメークアップ化粧料の選択法では、上記メラニンの存在状態以外に肌の色ムラの程度を指標とする。肌の色ムラもメラニンの存在状態の悪さと同様に、メークアップ化粧料によって補正されるべき肌トラブルであり、この両者がカバーされて始めて本当に美しい化粧仕上がりの基礎となりうる。これらメラニンの存在状態と色ムラとは互いに独立の関係であり、これら単独でもそれぞれ適切なカバー力に対する因子となっている。これら両者を組み合わせることにより更に適切なカバー力の選択が為しうる。これは角層のメラニンは主としてミクロ的なものであり、バックグランド的な要素があるのに対して、色ムラはよりマクロ的なものである為、その適切なカバー力への寄与は大きい。これを後記実施例に示す如く、テストにより多変量解析してみると、その加重比はメラニンの存在状態０．２〜０．４に対して、色ムラ０．６〜０．８となる。この加重を用いて、適切なカバー力に対する軸を設定すれば、優れたメークアップ化粧料の選択基準となる。ここで、色ムラの評価であるが、その評価法としては、顔の様子を画像としてコンピューターに取り込み、二値化等の処理を加え、その分布を求めたり、コンピューターモーフィングの手法を用い、色ムラの標準顔をいくつか作成し、この標準顔と照らし合わせて、その程度を鑑別したりすることにより、数値として表すことが出来る。この数値は、肉眼による標準顔との比較によって算出されるものであっても、その再現性は極めて良好で、客観的な数値として使用することが出来る。この様な色ムラの標準顔の例を図２に示す。この標準顔を用いて、観察者３名で、無作為に選出したパネラー３名の顔の色ムラを判定した結果を、次の表１に示す。これより、この様な鑑別手段であっても再現性が高いことがわかる。従って、簡便性を考えると、この様な方法で色ムラを鑑別し、指標として用いることが好ましい。
【０００８】
【表１】
2005283596.tif 000002
【０００９】
（３）本発明のメークアップ化粧料の選択法
本発明のメークアップ化粧料の選択法は、皮膚の角質細胞中のメラニンの存在状態と色ムラを指標とすることを特徴とする。後記実施例に示す如く、美しい肌とメラニンの存在状況、色ムラの関係は、（肌の美しさ）＝０．２５３×（角質細胞に於けるメラニンの存在状態）＋０．９３６×（肌の色ムラ）＋１．３５４で著される式に回帰している。即ち、後記実施例に示す如く、皮膚の角質細胞中のメラニンの存在状態と色ムラの状態の異なる人を複数集め、カバー力の異なる複数のメークアップ化粧料でメークアップしてもらい、どのメークアップ化粧料を用いたときが最も美しい仕上がりかを調べてみた時、各パネラーの角質細胞中のメラニンの存在状況の評価値と色ムラの評価値を、加重比にしてメラニンの存在状態０．２〜０．４に対して、色ムラ０．６〜０．８とした値、仮にこの数値を色調順調度とすると、この色調順調度と最も美しいカバー力の評価値とをプロッティングすると、優れた直線回帰する。これは、メークアップ化粧料のカバー力とメラニンの存在状態のバランスが化粧仕上がりの美しさに因果関係があることを意味する。カバー力が色調順調度の悪さ（色調の不調度）をカバーするに及ばなければ美しく見えないし、カバー力が多すぎると、厚ぼったさや不自然さなどがかえって目立ち、仕上がりの美しさは損なわれてしまうことを意味する。現象そのものは、良く理解しやすいことではあるが、カバーされるべき主体がメラニンの存在状態の悪さと色ムラであることは全く知られてはいなかったし、その数値的な関係も全く知られていなかった。この様な数値的な関係が明確になったことにより、本発明を利用して、使用者の皮膚角質細胞のメラニンの存在状態と色ムラを観察することにより、的確にメークアップ化粧料が選択できる。即ち、この様な技術によって、角質細胞標本があれば本人がそこに存在しなくとも適切なメークアップ化粧料が選択しうるし、主観や先入観を取り除いた状態で適切なメークアップ化粧料が選択できる。尚、本発明のメークアップ化粧料は、皮膚角質細胞中のメラニンの存在状態と色ムラを上記式にて加味した色調順調度を指標としているが、この指標に加えて色味の好みやメークアップ化粧料の剤形と肌の関係の指標など、他の選択評価軸を加えて更に詳細な選択をすることも可能であり、この様な選択も、又、本発明の技術的範囲に属する。
【実施例】
【００１０】
以下に実施例を示して、本発明について更に詳細に説明を加えるが、本発明がこれら実施例にのみ限定を受けないのは言うまでもない。
【００１１】
＜実施例１＞
無作為に抽出した女性パネラー３３４名（年齢１６〜７１歳）を用いて、右頬部より粘着ディスク法により角質細胞を採取し、粘着テープに転写し、これを０．５％の硝酸銀水溶液にアンモニア水を滴下しｐＨを１０に調整した銀染色液を用い、４５℃１０分間処理し銀染色した後、３回水洗し０．１５％ゲンチアナバイオレット液で１０分処理した。この標本を水洗、乾燥させ、透明シリコーン剤を染色済みの部分を覆うように流し込みカバーグラスをのせてサンプルとし、顕微鏡観察し、図１に示す基準に従って、メラニンの存在状態を１（悪い）〜５（良い）の評点を付して評価した。又、専門パネラーを用い、モーフィングにより作成した図２に示す色ムラの標準顔を用いて色ムラの状態を１（悪い）〜５（良い）の評点を付して評価した。又、全体的に印象より、肌の美しさを１（美しくない）〜５（美しい）の評点を付し評価した。これらを重回帰分析にかけたところ重相関係数０．６６１７で（肌の美しさ）＝０．２５３×（角質細胞に於けるメラニンの存在状態）＋０．９３６×（肌の色ムラ）＋１．３５４で著される式に回帰していることがわかった。この時の標準回帰係数は角質細胞に於けるメラニンの存在状態が０．１９８であり、色ムラが０．５９０であった。即ち、その加重比はメラニンの存在状態０．２〜０．４に対して、色ムラ０．６〜０．８となることがわかる。従って、この美肌阻害因子である、角質細胞におけるメラニンと色ムラとの両者を適切にカバーしうるカバー力を有するファンデーションを選択することにより、美しい化粧仕上がりが得られることがわかる。この寄与率に従って算出した色調順調度と肌の美しさをプロットすると、図３に示す如く、（肌の美しさ）＝０．８９６１×（色調順調度）＋１．５０９５の直線式に回帰する。
【００１２】
＜実施例２＞
次に示す、カバー力の異なる５種のファンデーションを作成し、上記重相関関係式を用いて、パネラーに合わせたファンデーションの選択を試みた。これらのファンデーション処方は下記に示す。即ち、無作為に選出した女性パネラー２５０名を用い、実施例１の如くに、色調順調度を算出し、１以上２未満、２以上３未満、３以上４未満、４以上５未満、５以上（数値が低いほど色ムラやメラニンの状況が悪い。）に分類し、それぞれに対しカバー力５、４、３、２、１のファンデーションを選択し、メークアップを行い専門パネラーにより、カバー力（きれいにカバーされているか、否か）と仕上がりの美しさを評価した。これらの結果を表２、３に示す。又、同じパネラー全員を、カバー力３のファンデーションでメークアップし、同様に評価した結果を表４、５に示す。これらの結果より、色ムラとメラニンの存在状況を指標にファンデーションを選択することにより、個人個人に適応した美しい仕上がりが得られることがわかる。
【００１３】
（ファンデーション１：カバー力５）
下記に示す処方に従って、ファンデーションを作成した。即ち、イ、ロ、ハ、ニをそれぞれ８０℃に加熱し、イとロとを良く混練りし、これにハを加えて希釈し、ホを分散させて、これに徐々にニを加えて乳化し、撹拌冷却し、ファンデーションを得た。
イ
７０％マルチトール水溶液                     ５ 重量部
グリセリン                                   ２ 重量部
１，３−ブタンジオール                       ５ 重量部
ロ
トリグリセリンジイソステアレート             ５ 重量部
ハ
流動パラフィン                             １０ 重量部
カルナウバワックス                         １２ 重量部
マイクロクリスタリンワックス                 ３ 重量部
ニ
水                                         ４３ 重量部
ホ
鉄ドープ二酸化チタン                         ８ 重量部
酸化亜鉛                                     １ 重量部
二酸化チタン                                 ４ 重量部
ベンガラ                                     １ 重量部
黄色酸化鉄                                   １ 重量部
【００１４】
（ファンデーション２：カバー力４）
下記に示す処方に従って、ファンデーションを作成した。即ち、イ、ロ、ハ、ニをそれぞれ８０℃に加熱し、イとロとを良く混練りし、これにハを加えて希釈し、ホを分散させて、これに徐々にニを加えて乳化し、撹拌冷却し、ファンデーションを得た。
イ
７０％マルチトール水溶液                       ５ 重量部
グリセリン                                     ２ 重量部
１，３−ブタンジオール                         ５ 重量部
ロ
トリグリセリンジイソステアレート               ５ 重量部
ハ
流動パラフィン                               １５ 重量部
カルナウバワックス                             ７ 重量部
マイクロクリスタリンワックス                   ３ 重量部
ニ
水                                           ４３ 重量部
ホ
鉄ドープ二酸化チタン                           ７ 重量部
酸化亜鉛                                       １ 重量部
二酸化チタン                                   ４ 重量部
着色タルク                                     １ 重量部
ベンガラ                                       １ 重量部
黄色酸化鉄                                     １ 重量部
【００１５】
（ファンデーション３：カバー力３）
下記に示す処方に従って、ファンデーションを作成した。即ち、イ、ロ、ハ、ニをそれぞれ８０℃に加熱し、イとロとを良く混練りし、これにハを加えて希釈し、ホを分散させて、これに徐々にニを加えて乳化し、撹拌冷却し、ファンデーションを得た。
イ
７０％マルチトール水溶液                       ５ 重量部
グリセリン                                     ２ 重量部
１，３−ブタンジオール                         ５ 重量部
ロ
トリグリセリンジイソステアレート               ５ 重量部
ハ
流動パラフィン                               １５ 重量部
グリセリルトリイソオクタネート                 ７ 重量部
マイクロクリスタリンワックス                   ３ 重量部
ニ
水                                           ４３ 重量部
ホ
鉄ドープ二酸化チタン                           ６ 重量部
酸化亜鉛                                       １ 重量部
二酸化チタン                                   ４ 重量部
着色タルク                                     ２ 重量部
ベンガラ                                       １ 重量部
黄色酸化鉄                                     １ 重量部
【００１６】
（ファンデーション４：カバー力２）
下記に示す処方に従って、ファンデーションを作成した。即ち、イ、ロ、ハ、ニをそれぞれ８０℃に加熱し、イとロとを良く混練りし、これにハを加えて希釈し、ホを分散させて、これに徐々にニを加えて乳化し、撹拌冷却し、ファンデーションを得た。
イ
７０％マルチトール水溶液                       ５ 重量部
グリセリン                                     ２ 重量部
１，３−ブタンジオール                         ５ 重量部
ロ
トリグリセリンジイソステアレート               ５ 重量部
ハ
流動パラフィン                               １５ 重量部
グリセリルトリイソオクタネート                 ７ 重量部
マイクロクリスタリンワックス                   ３ 重量部
ニ
水                                           ４３ 重量部
ホ
鉄ドープ二酸化チタン                           ３ 重量部
酸化亜鉛                                       １ 重量部
二酸化チタン                                   ４ 重量部
着色タルク                                     ５ 重量部
ベンガラ                                       １ 重量部
黄色酸化鉄                                     １ 重量部
【００１７】
（ファンデーション５：カバー力１）
下記に示す処方に従って、ファンデーションを作成した。即ち、イ、ロ、ハ、ニをそれぞれ８０℃に加熱し、イとロとを良く混練りし、これにハを加えて希釈し、ホを分散させて、これに徐々にニを加えて乳化し、撹拌冷却し、ファンデーションを得た。
イ
７０％マルチトール水溶液                       ５ 重量部
グリセリン                                     ２ 重量部
１，３−ブタンジオール                         ５ 重量部
ロ
トリグリセリンジイソステアレート               ５ 重量部
ハ
流動パラフィン                               １５ 重量部
グリセリルトリイソオクタネート                 ７ 重量部
マイクロクリスタリンワックス                   ３ 重量部
ニ
水                                           ４３ 重量部
ホ
酸化亜鉛                                       １ 重量部
二酸化チタン                                   ４ 重量部
着色タルク                                     ８ 重量部
ベンガラ                                       １ 重量部
黄色酸化鉄                                     １ 重量部
【００１８】
【表２】
2005283596.tif 000003
【００１９】
【表３】
2005283596.tif 000004
【００２０】
【表４】
2005283596.tif 000005
【００２１】
【表５】
2005283596.tif 000006
【産業上の利用可能性】
【００２２】
本発明によれば、適切なメークアップ化粧料を客観的且つ容易に選択する方法を提供することができる。
【図面の簡単な説明】
【００２３】
【図１】メラニンの存在状態の基準を示す図である。
【図２】色ムラの基準を示す図である。
【図３】肌の美しさと色調順調度の関係を示す図である。
【図１】
2005283596.tif 000007
【図２】
2005283596.tif 000008
【図３】
2005283596.tif 000009